(57)【要約】【課題】短手方向に湾曲した形状を有する長い帯状のフレキシブルプリント配線板を安価に安定的に作製する。【解決手段】熱可塑性樹脂からなるベース層と、ベース層の上に形成された導体部を含む配線層と、配線層の上に形成された熱可塑性樹脂からなるカバー層と、を有し、短手方向に湾曲した第１及び第２の基板部材と、長手方向に隣り合う第１及び第２の基板部材の長手方向の端部の間の接合部と、を有する帯状のフレキシブルプリント配線板であって、接合部において、第１及び第２の基板部材の配線層の対向する導体部同士は導電可能に接合され、第１及び第２の基板部材の対向するベース層同士、第１の基板部材のベース層とそれと対向する第２の基板部材のカバー層、又は、第１の基板部材のカバー層及びそれと対向する第２の基板部材のベース層が接合されるフレキシブルプリント配線板。【選択図】図１
2018010967.tif 000002
【特許請求の範囲】
【請求項１】
熱可塑性樹脂からなるベース層と、前記ベース層の上に形成された導体部を含む配線層と、前記配線層の上に形成された熱可塑性樹脂からなるカバー層と、を有し、短手方向に湾曲した第１の基板部材及び第２の基板部材と、
長手方向に隣り合う前記第１の基板部材及び前記第２の基板部材の長手方向の端部の間の接合部と、
を有する帯状のフレキシブルプリント配線板であって、
前記接合部において、
前記第１の基板部材の配線層の導体部及びそれと対向する前記第２の基板部材の配線層の導体部とは導電可能に接合され、かつ、
前記第１の基板部材のベース層及びそれと対向する前記第２の基板部材のベース層、又は、
前記第１の基板部材のベース層及びそれと対向する前記第２の基板部材のカバー層、又は、
前記第１の基板部材のカバー層及びそれと対向する前記第２の基板部材のベース層が接合されることを特徴とするフレキシブルプリント配線板。
【請求項２】
前記接合部において、前記第１の基板部材のベース層及びそれと対向する前記第２の基板部材のベース層が接合される場合において、
前記第１の基板部材の短手方向の湾曲の形状はベース層の方向に凸の形状かつ前記第２の基板部材の短手方向の湾曲の形状はカバー層の方向に凸の形状、又は、
前記第１の基板部材の短手方向の湾曲の形状はカバー層の方向に凸の形状かつ前記第２の基板部材の短手方向の湾曲の形状はベース層の方向に凸の形状である請求項１に記載のフレキシブルプリント配線板。
【請求項３】
前記接合部において、前記第１の基板部材のベース層及びそれと対向する前記第２の基板部材のカバー層、又は、前記第１の基板部材のカバー層及びそれと対向する前記第２の基板部材のベース層が接合される場合において、
前記第１の基板部材及び前記第２の基板部材の短手方向の湾曲の形状は、ともにベース層の方向に凸の形状であるか、又は、ともにカバー層の方向に凸の形状である請求項１に記載のフレキシブルプリント配線板。
【請求項４】
前記第１の基板部材及び前記第２の基板部材は、熱可塑性樹脂の厚み及び物性が共通である請求項１〜３のいずれか１項に記載のフレキシブルプリント配線板。
【請求項５】
前記第１の基板部材及び前記第２の基板部材は、熱可塑性樹脂の厚み及び物性の少なくともいずれかが異なる請求項１〜３のいずれか１項に記載のフレキシブルプリント配線板。
【請求項６】
前記接合部は、異方性導電性材料からなる請求項１〜５のいずれか１項に記載のフレキシブルプリント配線板。
【請求項７】
前記熱可塑性樹脂は、液晶ポリマーからなる請求項１〜６のいずれか１項に記載のフレキシブルプリント配線板。
【請求項８】
熱可塑性樹脂からなるベース層と、前記ベース層の上に形成された導体部を含む配線層と、前記配線層の上に形成された熱可塑性樹脂からなるカバー層と、を積層させて第１の基板部材及び第２の基板部材を作製する工程と、
前記第１の基板部材及び前記第２の基板部材の各々に対し、短手方向に湾曲させる形状
加工工程と、
長手方向に隣り合う前記形状加工された前記第１の基板部材及び前記第２の基板部材の長手方向の端部同士を接合部材を用いて接合する接合工程と、
を有し、
前記接合部材は、
前記第１の基板部材の配線層の導体部及びそれと対向する前記第２の基板部材の配線層の導体部とを導電可能に接合し、かつ、
前記第１の基板部材のベース層及びそれと対向する前記第２の基板部材のベース層、又は、
前記第１の基板部材のベース層及びそれと対向する前記第２の基板部材のカバー層、又は、
前記第１の基板部材のカバー層及びそれと対向する前記第２の基板部材のベース層を接合することを特徴とする、帯状のフレキシブルプリント配線板の製造方法。
【請求項９】
前記接合部材は、異方性導電性フィルムである請求項８に記載のフレキシブルプリント配線板の製造方法。
【請求項１０】
前記接合部材は、異方性導電性ペーストである請求項８に記載のフレキシブルプリント配線板の製造方法。
【請求項１１】
前記形状加工工程は、前記短手方向の湾曲の形状と略同じ形状の曲面を有する治具を用いて前記第１の基板部材及び前記第２の基板部材を加熱成形する工程を含み、
前記接合工程は、前記第１の基板部材及び前記第２の基板部材の端部及び前記接合部材を前記形状加工工程の加熱温度よりも低い温度で加熱圧着する工程を含む請求項８〜１０のいずれか１項に記載のフレキシブルプリント配線板の製造方法。
【請求項１２】
前記形状加工工程は、前記短手方向の湾曲の形状と略同じ形状の曲面を有する治具を用いて前記第１の基板部材及び前記第２の基板部材を加熱成形する工程を含み、
前記接合工程は、前記短手方向の湾曲の形状と略同じ形状の曲面を有する治具を用いて前記第１の基板部材及び前記第２の基板部材の端部及び前記接合部材を加熱圧着する工程を含む請求項８〜１０のいずれか１項に記載のフレキシブルプリント配線板の製造方法。
【請求項１３】
前記熱可塑性樹脂は、液晶ポリマーからなる請求項８〜１２のいずれか１項に記載のフレキシブルプリント配線板の製造方法。
【発明の詳細な説明】
【技術分野】
【０００１】
本発明は、フレキシブルプリント配線板及びその製造方法に関する。
【背景技術】
【０００２】
従来、通信、映像機器等の各種電子機器、産業機器、ロボット、ゲーム機等に備えられる構成部品間において、電気的な接続を行うために、各種の配線が用いられている。特に、機器内での構成部品の円滑な移動が要求される部位においては、例えばケーブルベア（登録商標）が用いられている（特許文献１を参照）。この技術においては、ケーブルを支えるための部材等が必要であることから、ケーブルベアの配置スペースは比較的広い空間が必要となる。これに対して、帯状のフレキシブルプリント配線板を用いることで、配置スペースを狭くすることが可能となる。一般的なフレキシブルプリント配線板は、帯状にして空中で使用すると垂れ下がった状態になってしまうことがある。そのため、周囲の構成部品とフレキシブルプリント配線板とが接触して損傷が生じる可能性がある。これに対して、帯状のフレキシブルプリント配線板を短手方向に湾曲した状態に成形することで、空中で使用する場合でも垂れ下がらないようにする技術が知られている（特許文献２を参照）。短手方向に湾曲させた帯状のフレキシブルプリント配線板は、長手方向の１箇所で屈曲させた状態でも、垂れ下がることなく自立することが可能である。このようなフレキシブルプリント配線板は、２部材の一方に長手方向の一方の端部を固定し、２部材の他方に長手方向の他方の端部を固定した状態で、２部材が長手方向に平行の仮想的な平面内で相対移動する場合でも、相対移動に追従して、自立した状態のまま、屈曲箇所の長手方向の位置が移動する（特許文献４を参照）。
【０００３】
フレキシブルプリント配線板を短手方向に湾曲するように成形する方法としては、カバーレイフィルムをベースフィルムに加熱及び加圧して接着する際にカバーレイフィルムに生じる弾性による反りを利用する方法がある。例えばカバーレイフィルムとベースフィルムに熱収縮率の異なる材料を用いる方法や、接着材の厚みを工夫する方法が知られている（特許文献２を参照）。ただし、これらの方法では、各材料の厚みや配置や材質が制限されることがある。また、製造過程における初期段階で中間製品が湾曲することになるため、一般的な平面状のフレキシブルプリント配線板の中間製品に対して加工するための装置が使い難かったり使えなかったりすることがある。従って、めっきや形状加工等の後工程が困難になる場合もある。これに対して、フレキシブルプリント配線板のカバーレイフィルム、ベースフィルムの材料に熱可塑樹脂を用い、フレキシブルプリント配線板の製造工程の後段階で加熱成形を行う技術が知られている（特許文献３を参照）。この技術では、熱可塑性樹脂として伸縮可能な液晶ポリマー（ＬＣＰ：Liquid Crystal Polymer）を用いて、樹脂の軟化温度よりも数１０℃〜１００℃程度低い温度で３０分から６０分程度加熱成形している。この技術を用いて、短手方向に湾曲した帯状のフレキシブルプリント配線板を作製することができる。
【０００４】
図８は、ベースフィルムやカバーレイフィルムを構成する絶縁樹脂としてＬＣＰを用いて、短手方向に湾曲した帯状のフレキシブルプリント配線板を作製する従来技術を説明する図である。まず、図８（Ａ）に示すように、絶縁樹脂２１（厚さ５０μｍのＬＣＰフィルム）の片面に銅箔層２２（厚さ１２μｍの銅箔）を有する片面銅張積層板２３を用意し、配線パターン２２ｂをフォトファブリケーション手法によるエッチングにより形成する。さらに、端子等の開口を予め形成した５０μｍ厚のＬＣＰフィルム２４ａと接着材２４ｂからなるカバーレイ２４を準備する。配線パターンを形成した面にカバーレイ２４をラミネートし、オーブンにて加熱キュアすることで接着材２４ｂの硬化反応を完了させ、図８（Ｂ）に示すような平面状の積層基材２５を得る。サイズは、例えば、図８（Ｃ）の上
面図に示すように、長手方向５００ｍｍ、短手方向３０ｍｍである。
【０００５】
この積層基材２５を、短手方向に曲率Ｒで湾曲した曲面を有する治具（例えばパイプを長手方向に半分にカットした形状）で挟んだ状態でオーブン等で加熱することで、図８（Ｂ）の矢印２７で示すように、短手方向に曲率Ｒで湾曲した形状に成形し、図９に示すフレキシブルプリント配線板２６を得る。この例では、絶縁樹脂２１の方向に凸の曲率Ｒの湾曲形状が成形されている。
【０００６】
図９は、成形後のフレキシブルプリント配線板２６の使用時の状態を示す斜視図である。曲率Ｒは、例えば、１５ｍｍである。この成形後のフレキシブルプリント配線板２６を、長手方向の中心付近で長手方向に屈曲させると、図１０（Ａ）に示すように、フレキシブルプリント配線板２６は、屈曲位置において長手方向にＵ字型になる。この状態において、フレキシブルプリント配線板２６は、図１０（Ｂ），図１０（Ｃ）に示すように、自立して垂れ下がらず、屈曲箇所が長手方向に自由に移動できる。これにより、フレキシブルプリント配線板は、長手方向の両端部が長手方向に平行な仮想平面内で矢印２８ａ，２８ｂのように相対移動しても、それに追従して、長手方向の屈曲形状及び短手方向の湾曲形状を維持し、かつ自立したまま変形する。
【先行技術文献】
【特許文献】
【０００７】
【特許文献１】特開２００８−２４３８３９号公報
【特許文献２】特開２０１３−７４１６６号公報
【特許文献３】特開２０１１−１３４８８４号公報
【特許文献４】実公昭６３−１９４４１２号公報
【非特許文献】
【０００８】
【非特許文献１】ＪＰＣＡ  Ｓｈｏｗ  ２０１４  沖電線株式会社出展資料
【発明の概要】
【発明が解決しようとする課題】
【０００９】
上述のように、短手方向に湾曲した形状の治具で挟んで熱可塑性樹脂を加熱形成することで短手方向に湾曲した形状のフレキシブルプリント配線板を作製する方法では、作製するフレキシブルプリント配線板の長さは、成形治具の長さや加熱用のオーブンの大きさによって制限されてしまう。短手方向に湾曲した長い帯状のフレキシブルプリント配線板を作製するためには、まず、ＬＣＰ等で長い帯状のフレキシブルプリント配線板を作製し、長い成形治具を用い、これを加熱できる大型のオーブン等の設備が必要となる。そのため、短手方向に湾曲した形状を有する長い帯状のフレキシブルプリント配線板（例えばメートルオーダー）を安価に作製することが難しかった。また、フレキシブルプリント配線板の長さが長くなると、配線長が長くなり、歩留りが低下するという問題もあった。
【００１０】
本発明は、この点に鑑みてなされたものであり、短手方向に湾曲した形状を有する長い帯状のフレキシブルプリント配線板を安価に安定的に作製することを目的とする。
【課題を解決するための手段】
【００１１】
上記の課題を解決するための本発明は、熱可塑性樹脂からなるベース層と、前記ベース層の上に形成された導体部を含む配線層と、前記配線層の上に形成された熱可塑性樹脂からなるカバー層と、を有し、短手方向に湾曲した第１の基板部材及び第２の基板部材と、
長手方向に隣り合う前記第１の基板部材及び前記第２の基板部材の長手方向の端部の間の接合部と、
を有する帯状のフレキシブルプリント配線板であって、
前記接合部において、
前記第１の基板部材の配線層の導体部及びそれと対向する前記第２の基板部材の配線層の導体部とは導電可能に接合され、かつ、
前記第１の基板部材のベース層及びそれと対向する前記第２の基板部材のベース層、又は、
前記第１の基板部材のベース層及びそれと対向する前記第２の基板部材のカバー層、又は、
前記第１の基板部材のカバー層及びそれと対向する前記第２の基板部材のベース層が接合されることを特徴とするフレキシブルプリント配線板である。
【００１２】
ここで、「対向する」とは、基板部材の曲面に垂直の方向に対向することを意味する。このフレキシブルプリント配線板は、全体の長さより短い複数の基板部材が接合部で接合された構成を有する。基板部材同士は、接合部において配線層の対向する導体部同士が導電可能に接合されるので、全体として１つのフレキシブルプリント配線板として機能する。また、接合部において、対向するベース層同士、又は、対向するベース層とカバー層同士と接合されるので、接合部において基板部材が分離することなく、全体として１つのフレキシブルプリント配線板として、フレキシブルプリント配線板の長手方向に屈曲した状態でフレキシブルプリント配線板の両端部にそれぞれ固定された２部材の相対移動に追従して、長手方向の屈曲形状及び短手方向の湾曲形状を維持したまま、屈曲箇所が長手方向に移動する運動を行うことができる。これらのことから、本発明のフレキシブルプリント配線板は、複数の短い基板部材と隣り合う基板部材の間に設けられる接合部とからなる構成でありながら、一体成形された長いフレキシブルプリント配線板と同等の可撓性と両端部の相対移動に伴う屈曲部の追従性を有する。
【００１３】
本発明は、上記のような構成のフレキシブルプリント配線板の製造方法を含む。
すなわち、本発明は、熱可塑性樹脂からなるベース層と、前記ベース層の上に形成された導体部を含む配線層と、前記配線層の上に形成された熱可塑性樹脂からなるカバー層と、を積層させて第１の基板部材及び第２の基板部材を作製する工程と、
前記第１の基板部材及び前記第２の基板部材の各々に対し、短手方向に湾曲させる形状加工工程と、
長手方向に隣り合う前記形状加工された前記第１の基板部材及び前記第２の基板部材の長手方向の端部同士を接合部材を用いて接合する接合工程と、
を有し、
前記接合部材は、
前記第１の基板部材の配線層の導体部及びそれと対向する前記第２の基板部材の配線層の導体部とを導電可能に接合し、かつ、
前記第１の基板部材のベース層及びそれと対向する前記第２の基板部材のベース層、又は、
前記第１の基板部材のベース層及びそれと対向する前記第２の基板部材のカバー層、又は、
前記第１の基板部材のカバー層及びそれと対向する前記第２の基板部材のベース層を接合することを特徴とする、帯状のフレキシブルプリント配線板の製造方法である。
【００１４】
この製造方法によれば、まず短い基板部材に対し短手方向に湾曲させる形状加工を施し、それを接合部材で接合することによって、全体として短手方向に湾曲した形状を有する長い帯状のフレキシブルプリント配線板を製造することができる。従って、短手方向に湾曲させる形状加工のために要する成型治具は、短い基板部材を形状加工できるだけのサイズを有していれば十分であり、短手方向に湾曲した長い帯状のフレキシブルプリント配線板を安価に製造できる。また、最終的なフレキシブルプリント配線板の長さは、接合する基板部材の個数によって容易に調整でき、従来技術のように成型治具のサイズによる制約
を受けない。さらに、最終的なフレキシブルプリント配線板が長い場合でも、個々の基板部材の配線長は短くてすむので、歩留りの低下を抑制できる。
【００１５】
本発明のフレキシブルプリント配線板は、前記接合部において、前記第１の基板部材のベース層及びそれと対向する前記第２の基板部材のベース層が接合される場合において、
前記第１の基板部材の短手方向の湾曲の形状はベース層の方向に凸の形状かつ前記第２の基板部材の短手方向の湾曲の形状はカバー層の方向に凸の形状、又は、
前記第１の基板部材の短手方向の湾曲の形状はカバー層の方向に凸の形状かつ前記第２の基板部材の短手方向の湾曲の形状はベース層の方向に凸の形状であっても良い。
【００１６】
この構成のフレキシブルプリント配線板は、ベース層の方向に凸の形状に湾曲させた第１の基板部材と、カバー層の方向に凸の形状に湾曲させた第２の基板部材と、の２種類の基板部材を形状加工工程で用意し、それらを湾曲形状が合うように第１の基板部材と第２の基板部材とを長手方向に並べて接合部材で接合することによって製造できる。従って、接合部において、配線部の対向する導体部同士が接合されるとともに、隣り合う基板部材の一方のベース層と他方のベース層との対向する部分が接合される構成となる。
【００１７】
本発明のフレキシブルプリント配線板は、前記接合部において、前記第１の基板部材のベース層及びそれと対向する前記第２の基板部材のカバー層、又は、前記第１の基板部材のカバー層及びそれと対向する前記第２の基板部材のベース層が接合される場合において、
前記第１の基板部材及び前記第２の基板部材の短手方向の湾曲の形状は、ともにベース層の方向に凸の形状であるか、又は、ともにカバー層の方向に凸の形状であっても良い。
【００１８】
この構成のフレキシブルプリント配線板は、ベース層の方向に凸の形状に湾曲させた基板部材か、カバー層の方向に凸の形状に湾曲させた基板部材か、のいずれかの基板部材を形状加工工程で用意し、それを湾曲形状が合うように長手方向に並べて接合部材で接合することによって製造できる。従って、接合部において、配線部の対向する導体部同士が接合されるとともに、隣り合う基板部材の一方のベース層と他方のカバー層との対向する部分、又は、一方のカバー層と他方のベース層との対向する部分が接合される構成となる。
【００１９】
本発明のフレキシブルプリント配線板は、複数の基板部材から構成されるため、用途や目的等によって適宜、第１の基板部材及び前記第２の基板部材の仕様を共通としたり、異ならせたりすることができる。例えば、第１の基板部材及び前記第２の基板部材は、熱可塑性樹脂の厚み及び物性が共通であるような構成とすることができる。一方、第１の基板部材及び前記第２の基板部材は、熱可塑性樹脂の厚み及び物性の少なくともいずれかが異なるような構成とすることもできる。
【００２０】
本発明のフレキシブルプリント配線板は、接合部に異方性導電性材料を用いると良い。これにより、接合部において配線層の対向する導体部同士を電気的に接合するとともに、対向するベース層同士、又は対向するベース層とカバー層とを機械的に接合することができる。接合部に異方性導電性材料を用いた構成のフレキシブルプリント配線板を製造する場合、接合部材としては、異方性導電性フィルムや異方性導電性ペーストを用いることができる。また、熱可塑性樹脂としては、液晶ポリマーを用いることができる。
【００２１】
本発明のフレキシブルプリント配線板の製造方法において、前記形状加工工程は、前記短手方向の湾曲の形状と略同じ形状の曲面を有する治具を用いて前記第１の基板部材及び前記第２の基板部材を加熱成形する工程を含み、
前記接合工程は、前記第１の基板部材及び前記第２の基板部材の端部及び前記接合部材を前記形状加工工程の加熱温度よりも低い温度で加熱圧着する工程を含むようにすること
ができる。
【００２２】
形状加工後の接合工程において、形状加工工程の加熱温度よりも低い温度で加熱圧着するので、接合工程において加工後の形状を維持することができる。
【００２３】
本発明のフレキシブルプリント配線板の製造方法において、前記形状加工工程は、前記短手方向の湾曲の形状と略同じ形状の曲面を有する治具を用いて前記第１の基板部材及び前記第２の基板部材を加熱成形する工程を含み、
前記接合工程は、前記短手方向の湾曲の形状と略同じ形状の曲面を有する治具を用いて前記第１の基板部材及び前記第２の基板部材の端部及び前記接合部材を加熱圧着する工程を含むようにすることができる。
【００２４】
形状加工後の接合工程において、加工後の形状を維持した状態で加熱圧着するので、形状加工工程の加熱温度と同程度以上の温度で加熱圧着する場合でも、加工後の形状を維持することができる。
【００２５】
なお、本発明は、上記の各構成を可能な限り組み合わせて構成し得る。
【発明の効果】
【００２６】
本発明によれば、短手方向に湾曲した形状を有する長い帯状のフレキシブルプリント配線板を安価に安定的に作製することができる。
【図面の簡単な説明】
【００２７】
【図１】図１は本発明の実施例１に係るフレキシブルプリント配線板の製造工程の説明図である。
【図２】図２は本発明の実施例１に係るフレキシブルプリント配線板の製造工程の説明図である。
【図３】図３は本発明の実施例１に係るフレキシブルプリント配線板の製造工程の説明図である。
【図４】図４は本発明の実施例１に係るフレキシブルプリント配線板の製造工程の説明図である。
【図５】図５は本発明の実施例１に係るフレキシブルプリント配線板の製造工程の説明図である。
【図６】図６は本発明の実施例１に係るフレキシブルプリント配線板の使用時の状態を示す斜視図である。
【図７】図７は本発明の実施例１に係るフレキシブルプリント配線板の製造工程の説明図である。
【図８】図８は従来のフレキシブルプリント配線板の製造工程の説明図である。
【図９】図９は従来のフレキシブルプリント配線板の製造工程の説明図である。
【図１０】図１０は従来のフレキシブルプリント配線板の使用時の状態を示す斜視図である。
【発明を実施するための形態】
【００２８】
以下、図示を参照して、この発明を実施するための形態を、実施例に基づいて例示的に詳しく説明する。ただし、この実施例に記載されている構成部品の寸法、材質、形状、その相対配置等は、特定的な記載がない限りは、この発明の範囲をそれらのみに限定する趣旨のものではない。
【００２９】
＜フレキシブルプリント配線板の製造方法＞
図１は本発明の実施例１に係るフレキシブルプリント配線板の製造工程の説明図である
。まず、図１（Ａ）に示すように、ベース層としての絶縁樹脂１（厚さ５０μｍのＬＣＰフィルム）の片面に銅箔層２（厚さ１２μｍの銅箔）を有する片面銅張積層板３を用意し、導体部としての配線パターン２ｂをフォトファブリケーション手法によるエッチングにより形成し、配線層を形成する。さらに、端子等の開口を予め形成した５０μｍ厚のＬＣＰフィルム４ａと１５μｍ厚の接着材４ｂからなるカバー層としてのカバーレイ４を準備する。接着材４ｂは、低弾性の材料を用いると、後の成形工程への影響を抑制できるので好ましい。具体的にはＬＣＰフィルムの弾性係数が３〜４ＧＰａ程度であるので、この半分以下の２ＧＰａ以下の弾性係数の接着材を用いることで、成形性への影響を抑制することができる。また、成形時に温度２００℃程度で３０分程度加熱するため、この熱履歴で接着性や電気絶縁特性が著しく劣化しないものが好適である。
【００３０】
次に図１（Ｂ）に示すように、配線パターンを形成した面にカバーレイ４をラミネートし、オーブンにて１５０〜２００℃、１〜２時間程度キュアすることで接着材の硬化反応を完了させ、平面上の積層基材５を得る。図１（Ｃ）の上面図に示すように、積層基材５の平面サイズは、長手方向５００ｍｍ、短手方向３０ｍｍとする。
【００３１】
次に積層基材５に対し形状加工を行い、基板部材を作製する。実施例１では、図２（Ａ）に示すように、短手方向の湾曲方向が異なる２種類の基板部材Ａ，Ｂを作製する。基板部材Ａは、絶縁樹脂１の方向に凸、基板部材Ｂはカバーレイ４の方向に凸の短手方向の湾曲面を有する。これら基板部材Ａ，Ｂを作製するために、短手方向に曲率Ｒで湾曲した曲面を有する成型治具（例えばパイプを長手方向に半分にカットした形状）で積層基材５を挟み、その状態でオーブン等で加熱する。これにより、ＬＣＰ材料からなる積層基材５は短手方向に曲率Ｒで湾曲させた形状に変形加工される。オーブン等の内寸の制約から、全長が１００ｃｍを超えるものを加熱成形することは困難であるため、ここでは長さ５０ｃｍの治具を用い、２００℃、３０分加熱して成形を行った。なお、実施例１では熱可塑性樹脂としてＬＣＰを用いたのでその軟化温度に基づき成形加工の際の加熱温度を２００℃に設定したが、熱可塑性樹脂として他の材料を用いる場合には、その熱可塑性樹脂の軟化温度に基づき成形加工の際の加熱温度を設定する。図２（Ａ）に示すように、積層基板５を絶縁樹脂１が凸になるように短手方向に湾曲させる形状加工を行うことで、図２（Ｃ）の斜視図に示す基板部材Ａを得る。一方、図２（Ｂ）に示すように、積層基板５をカバーレイ４側が凸になるように短手方向に湾曲させる形状加工を行うことで、図２（Ｄ）の斜視図に示す基板部材Ｂを得る。短手方向の湾曲の曲率Ｒは１５ｍｍとした。
【００３２】
次に図３（Ａ）に示すように、基板部材Ａ，Ｂの凸形状の向きを揃える。図３（Ａ）の斜視図では、基板部材Ａについてはカバーレイ４が上面、絶縁樹脂１が下面となるようにし、基板部材Ｂについては絶縁樹脂１が上面、カバーレイ４が下面となるようにして、基板部材Ａ，Ｂを長手方向の端部９，１０において隣接させる。
【００３３】
図３（Ｂ）、図３（Ｃ）、図３（Ｄ）に示すように、基板部材の長手方向の端部は、配線層の配線パターン２ｂの端子部２ｃが露出するように形成されている。基板部材Ａ，Ｂともに、カバーレイ４の長手方向の長さが、長手方向の端部において、配線パターン２ｂ及び絶縁樹脂１の長手方向の長さより短くなるように形成されている。
【００３４】
次に、図４（Ａ）に示すように、基板部材Ａ，Ｂの配線パターン２ｂが露出している箇所２ｃが基板部材の平面に垂直の方向に対向するように基板部材Ａ，Ｂを重ねて配置し、基板部材Ａ，Ｂの配線パターン２ｂの対向する端部２ｃの間に挟むように、接合部材としての厚さ３５μｍのＡＣＦ６（Anisotropic Conductive Film：異方性導電性フィルム、
デクセリアルズ社製  ＤＰ３３４２ＭＳ）を配置し、ＡＣＦ６の加熱圧着により接合する。これにより、図４（Ｂ）に示すような接合部が得られる。
また、図４（Ｃ）に示すように、基板部材Ａ，Ｂの配線パターン２ｂが存在しない箇所
では、基板部材の平面に垂直の方向に対向する絶縁樹脂１同士の間に接合部材としてのＡＣＦ６を挟み、加熱圧着により接合する。これにより、図４（Ｄ）に示すような接合部が得られる。
このようにして、基板部材Ａ，Ｂの長手方向の端部において、配線層の対向する導体部同士が接合され、対向するベース層同士が接合されるので、長い帯状のフレキシブルプリント配線板が得られる。
なお、図４（Ｂ）に示すように、基板部材Ａのカバーレイ４の長手方向の端面１７と、基板部材Ｂの絶縁樹脂１の長手方向の端面１６とは、隣接（接触）していても良いし、図４（Ｄ）に示すように離間していても良い。長手方向の端面同士は、対向する導体部同士が接合される箇所及び対向するベース層同士が接合される箇所の両方において図４（Ｂ）のように隣接（接触）していても良いし、両方において図４（Ｄ）のように離間していても良い。また、隣接（接触）する場合において、長手方向の端面同士は、ＡＣＦによって接合されても良いし、接合されなくても良い。長手方向の端面同士がＡＣＦによって接合されない場合でも、対向するベース層同士及び導体部同士がＡＣＦによって接合されるので、基板部材同士の接合としては十分である。
【００３５】
実施例１では、接合工程におけるＡＣＦの加熱圧着条件は、まず５０℃、１．５ＭＰａ、１ｓｅｃで仮付けし、その後１３０℃、２ＭＰａ、１０ｓｅｃで本圧着した。このように接合温度は成形温度に比べ低く、短時間であることから、基板部材Ａ，Ｂの短手方向の曲率Ｒの湾曲形状は接合工程を経ても維持される。なお、実施例１では、接合工程の加熱温度を１３０℃としたが、これは接合部材として上記のＡＣＦを用いたからである。接合部材として他の材料を用いる場合、接合工程の加熱温度は、接合部材の軟化温度以上の温度であって、かつ、熱可塑性樹脂（実施例１の場合はＬＣＰ）の軟化温度より低い温度に設定すれば良い。接合工程において基板部材の湾曲形状が緩和しないようにするためである。接合部１１における基板部材Ａ，Ｂの対向する端子部２ｃの部分の長手方向の長さは２ｍｍとした。ＡＣＦは短手方向の湾曲形状（成形形状）が維持できる温度領域で加熱圧着可能な特性を有するものであれば、上記の例に限らない。また、接合部材としてＡＣＰ（Anisotropic Conductive Paste：異方性導電性ペースト）を用いることも可能である。接合部の端子部２ｃの重なり部分の厚みを抑えるために、端子部２ｃにおいてソフトエッチング等で銅箔厚みを薄くしても良い。また、端子部２ｃの表面処理は、ＡＣＦによる接合に適した水溶性プリフラックスや金めっき等を用いると良い。
【００３６】
基板部材の端部間の接合工程における加熱圧着を成形工程の加熱温度と同程度又はそれ以上の温度（実施例１では例えば２００℃付近の温度）で行うと、成形形状が維持できない場合がある。そのような温度条件で接合工程の加熱圧着を行いたい場合には、図５（Ａ）に示すように、成形形状と同等の形状の短手方向に湾曲した曲面を有する圧着治具１３ａ、１３ｂを用いて、図５（Ｂ）に示すように、圧着時部１３ａ、１３ｂの間に基板部材Ａ，Ｂの接合箇所を挟んだ状態で、接合工程の加熱圧着を行うと良い。こうすることで、接合部近傍における基板部材Ａ，Ｂの短手方向の湾曲形状は接合工程を経ても維持される。
【００３７】
＜フレキシブルプリント配線板の構成＞
以上の製造工程により製造されたフレキシブルプリント配線板について説明する。
図５（Ｃ）に示すように、フレキシブルプリント配線板７は、隣り合う基板部材Ａ，Ｂの長手方向の端部の間に接合部１１を有し、短手方向に湾曲した形状を有する長い帯状のフレキシブルプリント配線板である。
【００３８】
図１（Ａ）、図１（Ｂ）、図４（Ｂ）、図４（Ｄ）に示すように、基板部材Ａ，Ｂはそれぞれ熱可塑性樹脂（ＬＣＰ）からなるベース層（絶縁樹脂１）と、ベース層の上に形成された導体部（配線パターン２ｂ）を含む配線層と、配線層の上に形成された熱可塑性樹
脂（ＬＣＰ）からなるカバー層（カバーレイ４）と、を有し、短手方向に湾曲した形状である。長手方向に隣り合う基板部材Ａ，Ｂの長手方向の端部の間の接合部１１において、基板部材Ａ（第１の基板部材）の配線層の導体部（端子部２ｃ）及びそれと対向する基板部材Ｂ（第２の基板部材）の配線層の導体部（端子部２ｃ）とは導電可能に接合され、かつ、基板部材Ａ（第１の基板部材）の絶縁樹脂１（ベース層）及びそれと対向する基板部材Ｂ（第２の基板部材）の絶縁樹脂１（ベース層）が接合される。
【００３９】
実施例１のフレキシブルプリント配線板７は、隣り合う基板部材Ａ，Ｂのうち基板部材Ａ（第１の基板部材）の短手方向の湾曲の形状は絶縁樹脂１（ベース層）の方向に凸の形状であり、基板部材Ｂ（第２の基板部材）の短手方向の湾曲の形状はカバーレイ４（カバー層）の方向に凸の形状である。なお、隣り合う基板部材Ａ，Ｂのうち基板部材Ａ（第１の基板部材）の短手方向の湾曲の形状がカバーレイ４（カバー層）の方向に凸の形状であり、基板部材Ｂ（第２の基板部材）の短手方向の湾曲の形状は絶縁樹脂１（ベース層）の方向に凸の形状であっても良い。
【００４０】
＜実施例１のフレキシブルプリント配線板の優れた点＞
フレキシブルプリント配線板７の機能について検証した。まず、フレキシブルプリント配線板７の長手方向の中心付近を、図５（Ｃ）の矢印１２で示すように、短手方向の湾曲の凸形状が外側を向く方向に屈曲させると、図６（Ａ）に示すように、フレキシブルプリント配線板７は、屈曲位置において長手方向にＵ字型になる。屈曲部の曲率Ｒは、フレキシブルプリント配線板７の短手方向の湾曲形状の曲率Ｒと同程度（ここではＲ＝１５ｍｍ）となる。この状態で、フレキシブルプリント配線板７は、図６（Ａ）に示すように自立して垂れ下がらない。このフレキシブルプリント配線板７に対し、図６（Ｂ）に示すように、両端部１４ａ，１４ｂをフレキシブルプリント配線板７の長手方向に平行な仮想平面内で直線的に矢印１５ａ，１５ｂで示すように相対移動させると、長手方向の屈曲形状及び短手方向の湾曲形状を維持したまま、相対移動に追従して屈曲部の位置が長手方向にスムーズに移動するような屈曲運動が可能であった。接合部１１が屈曲箇所となる場合でも、相対移動に伴う屈曲運動には特段の抵抗はなかった。１０００万回の繰り返しの直線的相対移動試験を経ても、配線層の直流抵抗変化は３％以下であり、基材の変形や接合部１１の剥離等の異常は見られなかった。よって、実施例１によれば、長さ５００ｍｍクラスの成形治具を用いて、全長１０００ｍｍ（１ｍ）の短手方向に湾曲した帯状の長いフレキシブルプリント配線板７を作製することができた。
【００４１】
（その他）
実施例１では、隣り合う基板部材Ａ，Ｂの一方の基板部材Ａの短手方向の湾曲の形状はベース層（絶縁樹脂１）の方向に凸の形状であり、他方の基板部材Ｂの短手方向の湾曲の形状はカバー層（カバーレイ４）の方向に凸の形状である構成のフレキシブルプリント配線板７及びその製造方法を説明したが、本発明はこれに限定されない。本発明のフレキシブルプリント配線板は、隣り合う基板部材の短手方向の湾曲の形状が、ともにベース層（絶縁樹脂１）の方向に凸の形状であるか、又は、ともにカバー層（カバーレイ４）の方向に凸の形状であっても良い。例えば、図２（Ｃ）で示すような、ベース層（絶縁樹脂１）の方向に凸の形状の短手方向の湾曲を有する基板部材のみを用いる場合、図７（Ａ）、図７（Ｂ）に示すように、カバーレイ４の長手方向の長さが配線パターン２ｂ及び絶縁樹脂１より短い構成の基板部材Ｃと、絶縁樹脂１の長手方向の長さが配線パターン２ｂ及びカバーレイ４より短い構成の基板部材Ｄと、を用意し、それらの長手方向の端部同士を実施例１と同様の方法で接合することで、隣り合う基板部材の短手方向の湾曲の形状が、ともにベース層（絶縁樹脂１）の方向に凸の形状であるフレキシブルプリント配線板が得られる。この構成のフレキシブルプリント配線板では、隣り合う基板部材Ｃ，Ｄの配線層の対向する導体部（配線パターン２ｂ）同士が接合され、かつ、一方の基板部材Ｃのベース層（絶縁樹脂１）及びそれと対向する他方の基板部材Ｄのカバー層（カバーれー４）が接合
される構成となる。また、ともにカバー層（カバーレイ４）の方向に凸の形状の基板部材のみを用いて同様に長い帯状のフレキシブルプリント配線板を製作した場合は、接合部において、配線層の対向する導体部（配線パターン２ｂ）同士が接合され、かつ、一方の基板部材Ｃのカバー層（カバーレイ４）及びそれと対向する他方の基板部材Ｄのベース層（絶縁樹脂１）が接合される構成となる。
【００４２】
実施例１では２つの基板部材を接合する例を示したが、３つ以上の基板部材を接合することで、より長い短手方向に湾曲した帯状のフレキシブルプリント配線板を作成することができる。３つ以上の基板部材を接合して本発明の方法で製造したフレキシブルプリント配線板は、複数の接合部を有するが、各接合部の構成は、実施例１で説明した基板部材Ａ，Ｂの接合部の構成としても良いし、上述した基板部材Ｃ，Ｄの接合部の構成としても良い。また、複数の接合部の構成を同一としても良いし異ならせても良い。３つ以上の基板部材を接合する場合も、成型治具やオーブン等の加熱器具を大型化する必要がなく、作製可能な短手方向に湾曲した帯状のフレキシブルプリント配線板の長さは、成型治具やオーブン等の加熱器具のサイズの制約を受けない。よって、数ｍクラスの短手方向に湾曲した帯状のフレキシブルプリント配線板を作製することも可能である。実施例１の短手方向に湾曲した帯状のフレキシブルプリント配線板は、短い基板部材を組み合わせて作製するので、長いフレキシブルプリント配線板を一体成形で製造する場合と比較して、歩留りの低下を抑制できるという利点もある。
【００４３】
実施例１では、フレキシブルプリント配線板７を構成する複数の基板部材Ａ，Ｂは、熱可塑性樹脂の厚みや物性が共通である構成としたが、本発明はこれに限らない。用途や目的等によって、複数の基板部材の仕様を異ならせても良い。例えば、フレキシブルプリント配線板７を構成する複数の基板部材のうち、端部に位置する基板部材は、実際の使用状態において相対移動する２部材に固定されることになる。固定の強度確保のために、両端に位置する基板部材のみ、熱可塑性樹脂の厚みを暑くしたり、高温熱源に近接する場合には軟化温度が高い物性の材料を用いたりしても良い。
【００４４】
実施例１では、絶縁樹脂として液晶ポリマー（ＬＣＰ）を用いる例を示したが絶縁性、可撓性及び熱可塑性を有する材料であればこれに限定されない。また、接合部材としてＡＣＦやＡＣＰを用いる例を説明したが、導電性と接着性を有する材料であればこれに限定されない。
【符号の説明】
【００４５】
１  絶縁樹脂
２  銅箔
２ｂ  配線パターン
３  片面銅張積層板
４  カバーレイ
４ａ  ＬＣＰフィルム
４ｂ  接着材
５  積層基材
６  ＡＣＦ
７  全長の長い自立・摺動可能なフレキシブルプリント配線板
８ａ  基板部材Ａの湾曲方向
８ｂ  基板部材Ｂの湾曲方向
９  基板部材Ａの接合される端部
１０  基板部材Ｂの接合される端部
１１  接合部
１２  使用時の屈曲方向
１３ａ、１３ｂ  圧着治具
１４ａ、１４ｂ  フレキシブルプリント配線板の端部
１５ａ、１５ｂ  相対移動方向
１６  端面
１７  端面
２１  絶縁樹脂
２２  銅箔
２２ｂ  配線パターン
２３  片面銅張積層板
２４  カバーレイ
２４ａ  ＬＣＰフィルム
２４ｂ  接着材
２５  積層基材
２６  自立・摺動可能なフレキシブルプリント配線板
２７  フレキシブルプリント配線板の湾曲方向
【図１】
2018010967.tif 000003
【図２】
2018010967.tif 000004
【図３】
2018010967.tif 000005
【図４】
2018010967.tif 000006
【図５】
2018010967.tif 000007
【図６】
2018010967.tif 000008
【図７】
2018010967.tif 000009
【図８】
2018010967.tif 000010
【図９】
2018010967.tif 000011
【図１０】
2018010967.tif 000012
【手続補正書】
【提出日】平成29年4月11日(2017.4.11)
【手続補正１】
【補正対象書類名】明細書
【補正対象項目名】０００９
【補正方法】変更
【補正の内容】
【０００９】
上述のように、短手方向に湾曲した形状の治具で挟んで熱可塑性樹脂を加熱成形することで短手方向に湾曲した形状のフレキシブルプリント配線板を作製する方法では、作製するフレキシブルプリント配線板の長さは、成形治具の長さや加熱用のオーブンの大きさによって制限されてしまう。短手方向に湾曲した長い帯状のフレキシブルプリント配線板を作製するためには、まず、ＬＣＰ等で長い帯状のフレキシブルプリント配線板を作製し、長い成形治具を用い、これを加熱できる大型のオーブン等の設備が必要となる。そのため、短手方向に湾曲した形状を有する長い帯状のフレキシブルプリント配線板（例えばメートルオーダー）を安価に作製することが難しかった。また、フレキシブルプリント配線板の長さが長くなると、配線長が長くなり、歩留りが低下するという問題もあった。
【手続補正２】
【補正対象書類名】明細書
【補正対象項目名】００３６
【補正方法】変更
【補正の内容】
【００３６】
基板部材の端部間の接合工程における加熱圧着を成形工程の加熱温度と同程度又はそれ以上の温度（実施例１では例えば２００℃付近の温度）で行うと、成形形状が維持できない場合がある。そのような温度条件で接合工程の加熱圧着を行いたい場合には、図５（Ａ）に示すように、成形形状と同等の形状の短手方向に湾曲した曲面を有する圧着治具１３ａ、１３ｂを用いて、図５（Ｂ）に示すように、圧着治具１３ａ、１３ｂの間に基板部材Ａ，Ｂの接合箇所を挟んだ状態で、接合工程の加熱圧着を行うと良い。こうすることで、接合部近傍における基板部材Ａ，Ｂの短手方向の湾曲形状は接合工程を経ても維持される。
【手続補正３】
【補正対象書類名】明細書
【補正対象項目名】００４３
【補正方法】変更
【補正の内容】
【００４３】
実施例１では、フレキシブルプリント配線板７を構成する複数の基板部材Ａ，Ｂは、熱可塑性樹脂の厚みや物性が共通である構成としたが、本発明はこれに限らない。用途や目的等によって、複数の基板部材の仕様を異ならせても良い。例えば、フレキシブルプリン
ト配線板７を構成する複数の基板部材のうち、端部に位置する基板部材は、実際の使用状態において相対移動する２部材に固定されることになる。固定の強度確保のために、両端に位置する基板部材のみ、熱可塑性樹脂の厚みを厚くしたり、高温熱源に近接する場合には軟化温度が高い物性の材料を用いたりしても良い。